【手続補正書】
【提出日】平成20年5月8日(2008.5.8)
【手続補正１】
【補正対象書類名】特許請求の範囲
【補正対象項目名】全文
【補正方法】変更
【補正の内容】
【特許請求の範囲】
【請求項１】
剥離シートと、剥離シート上に接着層を介して設けられた複数のＩＣタグと、を有するＩＣタグ付シートを供給するＩＣタグ付シート供給部と、
鋭角状に突出するとともに頂部をＲ０．２〜Ｒ０．６ｍｍの範囲内に曲面面取りされた突出部を有し、前記ＩＣタグ付シート供給部により供給される前記ＩＣタグ付シートの前記剥離シートを前記突出部の頂部において折り返して前記剥離シートから前記接着層とともに前記ＩＣタグを剥離させるナイフエッジと、
前記剥離シートから剥離させられた前記ＩＣタグと前記接着層を受け取る被搭載体を供給する被搭載体供給部と、を備えたことを特徴とする、剥離シートから剥離させられるＩＣタグを供給される被搭載体上に配置するＩＣタグの配置装置。
【請求項２】
剥離シートと、剥離シート上に接着層を介して設けられ、ＩＣチップと一対の拡大電極とを有する複数のＩＣタグと、を有するＩＣタグ付シートを供給するＩＣタグ付シート供給部と、
鋭角状に突出した突出部を有し、前記ＩＣタグ付シート供給部により供給される前記ＩＣタグ付シートの前記剥離シートを前記突出部の頂部において折り返して前記剥離シートから前記接着層とともに前記ＩＣタグを剥離させるナイフエッジと、
前記剥離シートから剥離させられた前記ＩＣタグと前記接着層を受け取る被搭載体を供給する被搭載体供給部と、
前記剥離シートから剥離させられる前記ＩＣタグに接触して、前記ＩＣタグと前記接着層を前記剥離シート上から前記被搭載体上へ案内する回転自在な案内ロールと、を備えたことを特徴とする、剥離シートから剥離させられるＩＣタグを供給される被搭載体上に配置するＩＣタグの配置装置。
【請求項３】
前記被搭載体上に配置された前記ＩＣタグを前記被搭載体に向けて押圧する押圧部をさらに備え、
前記被搭載体供給部は、非導電性の基材シートと、前記基材シート上に設けられ一対の接点を有する複数のアンテナ回路と、を有するアンテナ回路形成済シートを被搭載体として供給し、
前記押圧部は、前記ＩＣタグの一対の拡大電極をアンテナ回路の一対の接点にそれぞれ導通させるかしめ刃を有することを特徴とする請求項２に記載のＩＣタグの配置装置。
【請求項４】
前記被搭載体供給部は、非導電性の基材シートと、前記基材シート上に設けられ一対の接点を有する複数のアンテナ回路と、を有するアンテナ回路形成済シートを被搭載体として供給し、
前記案内ロールは、ＩＣタグの一対の拡大電極をアンテナ回路の一対の接点にそれぞれ導通させるかしめ刃を有することを特徴とする請求項２に記載のＩＣタグの配置装置。
【請求項５】
前記ナイフエッジの前記突出部のうち、前記案内ロールの前記かしめ刃に対向する部分に溝が形成されていることを特徴とする請求項４に記載のＩＣタグの配置装置。
【請求項６】
前記案内ロールは、３．０〜６．０ｍｍの外径を有することを特徴とする請求項２乃至５のいずれか一項に記載のＩＣタグの配置装置。
【請求項７】
前記ナイフエッジの前記突出部の頂部は、Ｒ０．２〜Ｒ０．６ｍｍの範囲内に曲面面取りされていることを特徴とする請求項２乃至６のいずれか一項に記載のＩＣタグの配置装置。
【請求項８】
剥離シートと、剥離シート上に接着層を介して設けられた複数のＩＣタグと、を有するＩＣタグ付シートを供給するＩＣタグ付シート供給工程と、
ナイフエッジの鋭角状に突出した突出部の頂部であって、Ｒ０．２〜Ｒ０．６ｍｍの範囲内に曲面面取りされた頂部において、前記ＩＣタグ付シート供給工程により供給される前記ＩＣタグ付シートの前記剥離シートを折り返して前記剥離シートから前記接着層とともに前記ＩＣタグを剥離させるＩＣタグ剥離工程と、
被搭載体を供給して、前記剥離シートから剥離させられた前記ＩＣタグと前記接着層を前記被搭載体上に配置するＩＣタグ配置工程と、を備えたことを特徴とする、剥離シートから剥離させられたＩＣタグを被搭載体上に配置してなるＩＣタグ配置済シートを製造するＩＣタグ配置済シートの製造方法。
【請求項９】
剥離シートと、剥離シート上に接着層を介して設けられ、ＩＣチップと一対の拡大電極とを有する複数のＩＣタグと、を有するＩＣタグ付シートを供給するＩＣタグ付シート供給工程と、
ナイフエッジの鋭角状に突出した突出部の頂部において、前記ＩＣタグ付シート供給工程により供給される前記ＩＣタグ付シートの前記剥離シートを折り返して前記剥離シートから前記接着層とともに前記ＩＣタグを剥離させるＩＣタグ剥離工程と、
前記剥離シートから剥離させられた前記ＩＣタグと前記接着層を受け取る被搭載体を供給する被搭載体供給工程と、
回転自在な案内ロールを前記剥離シートから剥離させられる前記ＩＣタグに接触させて、前記ＩＣタグを前記剥離シート上から、前記被搭載体供給工程により供給される前記被搭載体上へ案内するＩＣタグ案内工程と、を備えたことを特徴とする、剥離シートから剥離させられたＩＣタグを被搭載体上に配置してなるＩＣタグ配置済シートを製造するＩＣタグ配置済シートの製造方法。
【請求項１０】
押圧部により、前記被搭載体上に配置された前記ＩＣタグを前記被搭載体に向けて押圧するＩＣタグ押圧工程を、さらに備え、
前記被搭載体供給工程において、非導電性の基材シートと、前記基材シート上に設けられ一対の接点を有する複数のアンテナ回路と、を有するアンテナ回路形成済シートが、前記被搭載体として供給され、
前記ＩＣタグ押圧工程において、前記押圧部に設けられたかしめ刃により、前記ＩＣタグの一対の拡大電極を前記アンテナ回路の一対の接点にそれぞれ導通させることを特徴とする請求項９に記載のＩＣタグ配置済シートの製造方法。
【請求項１１】
前記被搭載体供給工程において、非導電性の基材シートと、前記基材シート上に設けられ一対の接点を有する複数のアンテナ回路と、を有するアンテナ回路形成済シートが、前記被搭載体として供給され、
前記ＩＣタグ案内工程において、前記案内ロールに設けられたかしめ刃により、前記ＩＣタグの一対の拡大電極を前記アンテナ回路の一対の接点にそれぞれ導通させることを特徴とする請求項９に記載のＩＣタグ配置済シートの製造方法。
【請求項１２】
前記ＩＣタグ案内工程において用いられる前記案内ロールは、３．０〜６．０ｍｍの外径を有することを特徴とする請求項９乃至１１のいずれか一項に記載のＩＣタグ配置済シートの製造方法。
【請求項１３】
前記ＩＣタグ剥離工程において用いられる前記ナイフエッジの前記突出部の頂部は、Ｒ０．２〜Ｒ０．６ｍｍの範囲内に曲面面取りされていることを特徴とする請求項９乃至１２のいずれか一項に記載のＩＣタグ配置済シートの製造方法。
【請求項１４】
剥離シートと、剥離シート上に接着層を介して設けられた複数の被剥離体と、を有する被剥離体付シートを供給する被剥離体付シート供給部と、
鋭角状に突出するとともに頂部をＲ０．２〜Ｒ０．６ｍｍの範囲内に曲面面取りされた突出部を有し、前記被剥離体付シート供給部により供給される前記被剥離体付シートの前記剥離シートを前記突出部の頂部において折り返して前記剥離シートから前記接着層とともに前記被剥離体を剥離させるナイフエッジと、
前記剥離シートから剥離させられた前記被剥離体と前記接着層を受け取る被搭載体を供給する被搭載体供給部と、を備えたことを特徴とする、剥離シートから剥離させられる被剥離体を供給される被搭載体上に配置する被剥離体の配置装置。
【請求項１５】
剥離シートと、剥離シート上に接着層を介して設けられた複数の被剥離体と、を有する被剥離体付シートを供給する被剥離体付シート供給部と、
鋭角状に突出した突出部を有し、前記被剥離体付シート供給部により供給される前記被剥離体付シートの前記剥離シートを前記突出部の頂部において折り返して前記剥離シートから前記接着層とともに前記被剥離体を剥離させるナイフエッジと、
前記剥離シートから剥離させられた前記被剥離体と前記接着層を受け取る被搭載体を供給する被搭載体供給部と、
前記剥離シートから剥離させられる前記被剥離体に接触して、前記被剥離体と前記接着層を前記剥離シート上から前記被搭載体上に案内する回転自在な案内ロールと、を備えたことを特徴とする、剥離シートから剥離させられる被剥離体を供給される被搭載体上に配置する被剥離体の配置装置。
【請求項１６】
剥離シートと、剥離シート上に接着層を介して設けられた複数の被剥離体と、を有する被剥離体付シートを供給する被剥離体付シート供給工程と、
ナイフエッジの鋭角状に突出した突出部の頂部であって、Ｒ０．２〜Ｒ０．６ｍｍの範囲内に曲面面取りされた頂部において、前記被剥離体付シート供給工程により供給される前記被剥離体付シートの前記剥離シートを折り返して前記剥離シートから前記接着層とともに前記被剥離体を剥離させる被剥離体剥離工程と、
被搭載体を供給して、前記剥離シートから剥離させられた前記被剥離体と前記接着層を前記被搭載体上に配置する被剥離体配置工程と、を備えたことを特徴とする、剥離シートから剥離させられた被剥離体を被搭載体上に配置してなる被剥離体配置済シートを製造する被剥離体配置済シートの製造方法。
【請求項１７】
剥離シートと、剥離シート上に接着層を介して設けられた複数の被剥離体と、を有する被剥離体付シートを供給する被剥離体付シート供給工程と、
ナイフエッジの鋭角状に突出した突出部の頂部において、前記被剥離体付シート供給工程により供給される前記被剥離体付シートの前記剥離シートを折り返して前記剥離シートから前記接着層とともに前記被剥離体を剥離させる被剥離体剥離工程と、
前記剥離シートから剥離させられた前記被剥離体と前記接着層を受け取る被搭載体を供給する被搭載体供給工程と、
回転自在な案内ロールを前記剥離シートから剥離させられる前記被剥離体に接触させて、前記被剥離体を前記剥離シート上から、前記被搭載体供給工程により供給される前記被搭載体上に案内する被剥離体案内工程と、を備えたことを特徴とする、剥離シートから剥離させられた被剥離体を被搭載体上に配置してなる被剥離体配置済シートを製造する被剥離体配置済シートの製造方法。